(57)【特許請求の範囲】
【請求項１】
透液性の表面シートと、不透液性の裏面シートと、前記表面シートと前記裏面シートとの間に介装される吸収体と、を備え、未使用時に三つ折りの状態で保持されるとともに、使用時に前記三つ折りの状態を展開して前記裏面シートの外面を外装体に固着させて使用する吸収性物品において、
前記裏面シートの外面には、長手方向に沿って前記外装体に固着させる粘着部が形成されるとともに、当該粘着部の長手方向一方の端部側を覆う第１の剥離部材と、前記三つ折りの状態時に当該粘着部の長手方向他方の端部側を覆う第２の剥離部材と、が貼着され、
前記第１の剥離部材及び前記第２の剥離部材は、前記粘着部に対して着脱自在に貼着される剥離部を有するとともに、
前記第２の剥離部材の剥離部の前記表面シートに対向する側の面は、当該第２の剥離部材の剥離部を覆うようにして、不織布で形成され、
前記第２の剥離部材の剥離部は、前記不織布の前記表面シートに対向しない側の面の幅方向中央部に形成され、
前記第２の剥離部材は、前記表面シートの前記長手方向一方の端部に固着される固着部と、前記表面シートの前記長手方向一方の端部から外方に延出した延出部と、が設けられ、
前記第２の剥離部材を、前記粘着部から剥離させて当該三つ折りの状態を展開させた後、当該第２の剥離部材の前記延出部を前記表面シート側に折り返して折返し部を形成させることを特徴とする吸収性物品。
【請求項２】
前記延出部の前記不織布の前記表面シートに対向しない側の面には、幅方向両端部に前記第２の剥離部材を挟む形で、粘着剤からなる第１の固定部が設けられていることを特徴とする請求項１に記載の吸収性物品。
【請求項３】
前記固着部の前記不織布の前記表面シートに対向しない側の面には、幅方向両端部に前記第２の剥離部材を挟む形で、粘着剤からなる第２の固定部が設けられていることを特徴とする請求項１又は２に記載の吸収性物品。
【発明の詳細な説明】
【技術分野】
【０００１】
本発明は、吸収性物品に関する。
【背景技術】
【０００２】
従来、尿取りパッドや生理用ナプキンなどの吸収性物品が普及している。
こうした吸収性物品においては、液透過性の表面シートと、液不透過性の裏面シートと、これら両シートの間に介装される吸収体と、を備え、裏面シートの外面を、粘着剤が塗布された粘着部を介して着用者の下着やおむつ等の外装体に接着固定して使用する構成が知られている。
【０００３】
上記の粘着部を用いたものとして、吸収性物品である生理用ナプキンの非肌当接面に粘着性の粘着材層を設けるとともに、粘着材層を被覆する装着補助シートを設け、生理用ナプキンをショーツ等の装着具の内面に固定させる際に、装着補助シートを引っ張って剥がすことで粘着材層を表出させ、該粘着材層により装着具の内面に固定させるものが知られている（例えば、特許文献１参照）。
このように、粘着部を用いた吸収性物品においては、粘着部に剥離シートを貼着した状態で保持しておき、装着時に剥離シートを剥離するとともに、剥がした剥離シートを廃棄するのが一般的である。
【先行技術文献】
【特許文献】
【０００４】
【特許文献１】特開２００７−５４６０１号公報
【発明の概要】
【発明が解決しようとする課題】
【０００５】
しかしながら、従来の吸収性物品では、粘着部が裏面シートの長手方向全体に亘って形成されていることが多く、装着時に剥離シートを剥離して粘着部を表出させた際に、その表出面積が広いため、粘着部同士が接着してしまい、装着が困難になることがあった。また、吸収性物品を外装体から取り外して廃棄する際に、裏面シートの粘着部近傍がべたついてゴミ袋等に接着してしまい、不都合が生じていた。
【０００６】
本発明は、粘着部同士の不要な接着を防止し、装着及び廃棄作業を容易にするとともに、長手方向外側への漏れを防止することが可能な吸収性物品を提供することを目的とする。
【課題を解決するための手段】
【０００７】
請求項１に記載の発明は、上記目的を達成するためになされたものであり、
透液性の表面シートと、不透液性の裏面シートと、前記表面シートと前記裏面シートとの間に介装される吸収体と、を備え、未使用時に三つ折りの状態で保持されるとともに、使用時に前記三つ折りの状態を展開して前記裏面シートの外面を外装体に固着させて使用する吸収性物品において、
前記裏面シートの外面には、長手方向に沿って前記外装体に固着させる粘着部が形成されるとともに、当該粘着部の長手方向一方の端部側を覆う第１の剥離部材と、前記三つ折りの状態時に当該粘着部の長手方向他方の端部側を覆う第２の剥離部材と、が貼着され、
前記第１の剥離部材及び前記第２の剥離部材は、前記粘着部に対して着脱自在に貼着される剥離部を有するとともに、
前記第２の剥離部材の剥離部の前記表面シートに対向する側の面は、当該第２の剥離部材の剥離部を覆うようにして、不織布で形成され、
前記第２の剥離部材の剥離部は、前記不織布の前記表面シートに対向しない側の面の幅方向中央部に形成され、
前記第２の剥離部材は、前記表面シートの前記長手方向一方の端部に固着される固着部と、前記表面シートの前記長手方向一方の端部から外方に延出した延出部と、が設けられ、
前記第２の剥離部材を、前記粘着部から剥離させて当該三つ折りの状態を展開させた後、当該第２の剥離部材の前記延出部を前記表面シート側に折り返して折返し部を形成させることを特徴とする。
【０００８】
請求項２に記載の発明は、請求項１に記載の吸収性物品において、
前記延出部の前記不織布の前記表面シートに対向しない側の面には、幅方向両端部に前記第２の剥離部材を挟む形で、粘着剤からなる第１の固定部が設けられていることを特徴とする。
【０００９】
請求項３に記載の発明は、請求項１又は２に記載の吸収性物品において、
前記固着部の前記不織布の前記表面シートに対向しない側の面には、幅方向両端部に前記第２の剥離部材を挟む形で、粘着剤からなる第２の固定部が設けられていることを特徴とする。
【発明の効果】
【００１０】
本発明によれば、２枚の剥離部材を剥離する際に１枚ずつ剥離することができ、粘着部が一度に表出する面積を狭くすることができることとなって、粘着部同士が接着し合う状況を防止することができ、装着作業を容易にすることができる。
また、第２の剥離部材により折返し部を形成することができるので、着用者の糞尿等の排泄物が長手方向一方の端部側に漏れるのを防止することができる。
さらに、外装体から吸収性物品全体を取り外した際に、粘着部が表出している部分を覆うように剥離部材を巻き付けることができることとなって、粘着部がゴミ袋等に接着する状況を防止することができ、廃棄作業を容易にすることができる。
【図面の簡単な説明】
【００１１】
【図１】本実施形態に係る吸収性物品の未使用時の状態の一例を示す図である。
【図２】本実施形態に係る吸収性物品が使用時に展開されるときの一例を示す図である。
【図３】本実施形態に係る吸収性物品が使用時に展開されるときの一例を示す図である。
【図４】本実施形態に係る吸収性物品の表面側の一例を示す展開図である。
【図５】本実施形態に係る吸収性物品の裏面側の一例を示す展開図である。
【図６】図５のVI−VI部の一例を示す断面図である。
【図７】図４のVII−VII部の一例を示す断面図である。
【図８】本実施形態の第２の剥離部材を折り返して折返し部を形成した様子の一例について示す展開図である。
【図９】変形例に係る吸収性物品の表面側を示す展開図である。
【図１０】変形例の第２の剥離部材を折り返して折返し部を形成するときの様子の一例について示す展開図である。
【図１１】変形例の第２の剥離部材を折り返して折返し部を形成した様子の一例について示す展開図である。
【発明を実施するための形態】
【００１２】
以下、本発明の実施の形態を図面に基づいて説明する。
【００１３】
吸収性物品は、例えば、夜用又は長時間用の尿取りパッドであり、おむつやおむつカバー、パンツなどの人体に装着される外装体（図示省略）と併せて着脱・交換自在に使用される。以下の説明においては、吸収性物品として、インナーパッド１を例示して説明する。
なお、以下の説明では、図４に示す面を表面、表面の反対側の面（図５に示す面）を裏面とする。また、インナーパッド１の展開時（図４等参照）の長手方向をＸ方向、Ｘ方向と直交する一の方向（インナーパッド１の展開時の幅方向）をＹ方向とする。
【００１４】
インナーパッド１は、未使用時において、図１に示すように、三つ折の状態で保持され、例えば、この三つ折の状態のインナーパッド１を所定数包装袋に封入したものが、小売店等で陳列されている。
インナーパッド１の使用時には、まず、図２に示すように、インナーパッド１の裏面シート１２に貼着された不織布４０ｂ及び不織布４０ｂと一体の剥離シート３０ｂからなる第２の剥離部材を、インナーパッド１のＸ方向内側から外側（図１の矢印Ａの方向）に向けて剥離する。
次に、図３に示すように、三つ折に折畳まれたインナーパッド１のＸ方向の第２の剥離部材が貼着されていた側の端部を、第２の剥離部材を剥離した方向と反対の方向（図２の矢印Ｂの方向）に展開する。
次に、図４に示すように、インナーパッド１の二つに折畳まれた部分のＸ方向略中央部側の端部（腹側部１４）を、Ｘ方向外側（図３の矢印Ｃの方向）に向けて展開する。
これにより、インナーパッド１が完全に展開されるようになっている。
【００１５】
インナーパッド１は、図４〜７に示すように、着用者の身体との接触面側（表面側）に設けられる透液性の不織布からなる表面シート１１と、装着時に身体との接触面と反対側の面側（裏面側）に設けられる不透液性の裏面シート１２と、表面シート１１と裏面シート１２との間に介装される吸収体１３と、を有する本体部１０と、表面シート１１側の吸収体１３のＹ方向両側部に、Ｘ方向に沿って備えられる一対のギャザーシート２０、２０と、を備えて構成される。
【００１６】
また、インナーパッド１は、人体の股部を腹側から背側にかけて覆うように、Ｘ方向の一方の端部に腹側部１４が形成され、他方の端部に背側部１５が形成されている。さらに、腹側部１４と背側部１５との間に、着用者の股間部を被覆する股下部１６が形成され、股下部１６のＹ方向の両縁部には、装着時に着用者の脚周りを囲む一対の脚周り部１７、１７が形成されている。
【００１７】
表面シート１１は、尿などの体液を速やかに透過させる透液性を有する素材から形成され、体液を受けて、吸収体１３まで輸送する機能を有する。
表面シート１１は、不織布が好適に用いられ、具体的には、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものが用いられる。
なお、表面シート１１に多数の透孔を形成した場合には、体液がより速やかに吸収されるようになり、ドライタッチ性に優れたものとなる。
【００１８】
表面シート１１の外面側の背側部１５側の端部には、図４及び図６に示すように、第２の剥離部材として、不織布４０ｂと、不織布４０ｂの表面側に不織布４０ｂと一体となるように形成された剥離シート３０ｂ（剥離部）と、が貼着されている。即ち、剥離シート３０ｂの外面（表面シート１１と接着される側の面）は、剥離シート３０ｂを覆うようにして、Ｘ方向の長さが剥離シート３０ｂと略同一の不織布４０ｂで形成されている。この剥離シート３０ｂ（及び不織布４０ｂ）は、図１に示すように、インナーパッド１の未使用状態（三つ折の状態）において、粘着部１２１の粘着性を保護するため、粘着部１２１を覆うようにして、Ｘ方向に沿って貼着されるようになっている。そして、剥離シート３０ｂが剥離される際に、不織布４０ｂも一体となって剥離されるようになっている。
また、第２の剥離部材は、表面シート１１のＸ方向一方の端部（背側部１５）に固着される固着部５１と、表面シート１１のＸ方向一方の端部（背側部１５）から外方に延出した延出部５２と、が設けられている。なお、第２の剥離部材（剥離シート３０ｂ及び不織布４０ｂ）の詳細な構成については、後述する。
【００１９】
裏面シート１２は、不透液性を有する素材から形成され、体液等のインナーパッド１外部への染み出し、漏れ出しを防ぐ機能を有する。
裏面シート１２は、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。その他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００２０】
裏面シート１２の外面側のＹ方向の略中央部には、図５及び図６に示すように、Ｘ方向に沿って薄い層状の粘着部１２１が形成されており、インナーパッド１はこの粘着部１２１を介して外装体（図示省略）に固着されるようになっている。また、裏面シート１２の外面側の背側部１５側には、粘着部１２１の粘着性を保護するため、粘着部１２１のＸ方向一方の端部側（背側部１５側）を覆うようにして、Ｘ方向に沿って第１の剥離部材としての剥離シート３０ａ（剥離部）が貼着されている。また、インナーパッド１の三つ折りの状態時には、図１に示すように、粘着部１２１のＸ方向他方の端部側（腹側部１４側）を覆うようにして、Ｘ方向に沿って第２の剥離部材としての剥離シート３０ｂ（剥離部）及び不織布４０ｂが貼着されている。
即ち、本実施形態では、剥離シート３０ａは単独で第１の剥離部材として機能し、剥離シート３０ｂは不織布４０ｂと一体となって第２の剥離部材として機能する。
なお、本実施形態では、図１に示すように、２枚の剥離シート３０ａ、３０ｂが互いに重なることなく貼着されているが、いずれか一方の剥離シートを他方の剥離シートの上面にオーバーラップさせて貼着させるようにしてもよい。そうすることで、使用者が、剥離シートを容易に剥離することが可能となる。
【００２１】
粘着部１２１は、粘着剤が塗布されて形成されており、粘着剤として、例えば、一般的に耐久性において優れた性質をもっているポリアクリル酸エステルを主体としたアクリル系接着剤や、天然ゴム、合成ゴムの弾力性成分と粘着付与剤が主成分で、これに可塑剤、老化防止剤などが配合されているゴム系接着剤などを使用することができ、それ以外にホットメルト接着剤などの既知の接着剤も使用可能である。
【００２２】
剥離シート３０ａは、例えば、剥離紙や剥離フィルムといった防水性、撥水性を有する素材で形成され、粘着部１２１に対して着脱自在に貼着される。即ち、剥離シート３０ａを剥離すると、裏面シート１２の外面側に形成された粘着部１２１が表出するようになっている。
剥離シート３０ｂは、例えば、剥離シート３０ａと同様の素材で形成され、三つ折の状態時に、粘着部１２１に対して着脱自在に貼着される（図１、２参照）。なお、剥離シート３０ｂは、インナーパッド１の展開時に剥離されるため、インナーパッド１が完全に展開された状態においては、図５に示すように、腹側部１４側の粘着部１２１が表出した状態となっている。
ここで、粘着部１２１に対して１枚の剥離シートを貼着するのではなく、図１に示すように、２枚の剥離シート３０ａ、３０ｂを貼着するようにしたのは、２枚の剥離シートを１枚ずつ剥離できるようにして、粘着部１２１が一度に表出する面積を狭くすることで、粘着部１２１同士が接着し合う状況を防止するためである。
【００２３】
また、第１の剥離部材及び第２の剥離部材のうち、背側部１５側の粘着部１２１を覆う第１の剥離部材（剥離シート３０ａ）は、Ｘ方向の両端部（インナーパッド１の背側部１５側の端部及びインナーパッド１の略中央部側の端部）がいずれも粘着部１２１に対して剥離可能に構成されているため、いずれの端部からでも剥離することが可能であり、且つインナーパッド１から完全に分離することが可能である。一方、腹側部１４側の粘着部１２１を覆う第２の剥離部材（剥離シート３０ｂ及び不織布４０ｂ）は、図１〜４に示すように、延出部５２が粘着部１２１に対して剥離可能に構成されるとともに、固着部５１が表面シート１１のＸ方向一方の端部（背側部１５）に固着されている。即ち、第２の剥離部材は、インナーパッド１から完全には分離されない構造となっている。
【００２４】
不織布４０ｂは、例えば、表面シート１１と同様の不織布であり、具体的には、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものが用いられる。
また、図１、４に示すように、延出部５２の不織布４０ｂの内面には、Ｙ方向両端部に剥離シート３０ｂを挟む形で粘着剤が塗布された第１の固定部４１ｂ、４１ｂが設けられている。粘着剤としては、粘着部１２１と同様に、例えば、一般的に耐久性において優れた性質をもっているポリアクリル酸エステルを主体としたアクリル系接着剤や、天然ゴム、合成ゴムの弾力性成分と粘着付与剤が主成分で、これに可塑剤、老化防止剤などが配合されているゴム系接着剤などを使用することができ、それ以外にホットメルト接着剤などの既知の接着剤も使用可能である。なお、この第１の固定部４１ｂ、４１ｂには、外部との粘着を防止するため、第１の固定部４１ｂ、４１ｂを覆うようにして、剥離シートを貼着させるようにしてもよい。
【００２５】
吸収体１３は、インナーパッド１の使用時に体液としての尿等の水様成分を吸収する役割を果たすものであり、例えば、綿やパルプなどの吸収性素材、高吸水性樹脂（ＳＡＰ；Super Absorbent Polymer）、繊維やフィルムなどのシート状基材等を組み合わせて形成されている。高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
【００２６】
吸収体１３は、腹側部１４から股下部１６を通り背側部１５に亘る位置に配置され、吸収体１３のＸ方向中央部におけるＹ方向両端部には、円弧状の切り欠き１８、１８が形成されている。つまり、吸収体１３の略中央部である股下部１６に相当する部分は、吸収体１３の腹側部１４や背側部１５に相当する部分より、幅狭に形成されている。
このように、吸収体１３の股下部１６に相当する部分に、円弧状の切り欠き１８、１８を形成することにより、本体部１０を着用者に装着した際に、着用者の股下（そけい部）に対して吸収体１３がフィットし易くなっている。
【００２７】
ギャザーシート２０、２０は、表面シート１１側において、吸収体１３のＸ方向に沿った両側縁部に、腹側部１４から背側部１５に亘ってそれぞれ備えられている。
ギャザーシート２０、２０のＹ方向外側の部分は、例えば、図７に示すように、裏面シート１２の内側に折り返された部分における表面シート１１側とは反対側の面に貼り付けられて固定された固定端２０ｂとなっている。また、ギャザーシート２０、２０のＹ方向内側の部分は自由端２０ａとなっており、Ｘ方向に沿って複数の糸ゴム等の弾性部材２１…が略平行に備えられて、断面略「く」字状及び逆「く」字状に立ち上がって着用者の体型に合わせて伸縮自在に変形可能な立体ギャザーが形成されている。
【００２８】
ギャザーシート２０は、例えば、液が透過しにくい不織布、液が透過しにくいプラスチックシート、或いはこれらの複合体等により形成されている。液が透過しにくい不織布としては、例えば、スパンボンド不織布、スパンボンド不織布−メルトブローン不織布−スパンボンド不織布、スパンボンド不織布−メルトブローン不織布−メルトブローン不織布−スパンボンド不織布、ヒートロール不織布、不透液性不織布、エアースルー不織布等が挙げられる。
【００２９】
このように、本体部１０のＹ方向の縁部において、表面シート１１側の面にＸ方向に沿って立設するギャザーシート２０、２０が設けられているので、排出された体液のうち、吸収体１３で吸収しきれず、本体部１０のＹ方向の縁部側へ流出した体液が一度止められ、Ｘ方向にその流れを拡散するなどして吸収体１３に吸収させることにより、体液の横漏れを防ぐ効果が期待できる。
【００３０】
次に、本実施形態に係るインナーパッド１の使用方法について説明する。
未使用状態のインナーパッド１においては、図１に示すように、裏面シート１２側に形成された粘着部１２１の粘着性を保護するために第１の剥離部材（剥離シート３０ａ）及び第２の剥離部材（剥離シート３０ｂ及び不織布４０ｂ）が貼着されている。
また、インナーパッド１は、未使用時において、三つ折の状態で保持され、使用時に図１〜４に示した手順で展開される。
【００３１】
インナーパッド１が展開されると、図５に示すように、腹側部１４側の粘着部１２１が表出した状態となっているので、この表出した腹側部１４側の粘着部１２１を外装体の所定の位置に固着させる。
次に、腹側部１４側の粘着部１２１を覆っていた第２の剥離部材の延出部５２を、図８に示すように、表面シート１１側に折り返し、延出部５２の不織布４０ｂに設けられた第１の固定部４１ｂ、４１ｂをギャザーシート２０、２０の自由端２０ａに接着固定させる。これにより、折返し部Ｐ１が形成され、折返し部Ｐ１、第１の固定部４１ｂ、４１ｂ、及び表面シート１１により、着用者の糞尿等の排泄物が背側部１５側に漏れるのを防止するポケットが形成される。
次に、背側部１５側の粘着部１２１を覆う第１の剥離部材を剥離し、背側部１５側の粘着部１２１を表出させる。そして、表出した背側部１５側の粘着部１２１を外装体の所定の位置に固着させる。このとき、第１の剥離部材は、インナーパッド１から完全に分離して廃棄する。
【００３２】
このインナーパッド１を使用後に廃棄する際、まず、第１の固定部４１ｂ、４１ｂの接着状態を解放する。そして、外装体と粘着部１２１との固着状態を解放し、外装体からインナーパッド１全体を取り外す。
次に、取り外したインナーパッド１を、粘着部１２１が形成された裏面シート１２側を外側にしてロール状に巻き、粘着部１２１が表出している部分を覆うように第２の剥離部材を巻き付けた後、廃棄する。
【００３３】
以上のように、本実施形態に係るインナーパッド１によれば、裏面シート１２の外面には、Ｘ方向に沿って外装体に固着させる粘着部１２１が形成されるとともに、当該粘着部１２１のＸ方向一方の端部側（背側部１５側）を覆う第１の剥離部材（剥離シート３０ａ）と、三つ折りの状態時に当該粘着部１２１のＸ方向他方の端部側（腹側部１４側）を覆う第２の剥離部材（剥離シート３０ｂ及び不織布４０ｂ）と、が貼着され、第１の剥離部材及び第２の剥離部材は、粘着部１２１に対して着脱自在に貼着される剥離シート３０ａ及び剥離シート３０ｂを有するので、２枚の剥離部材を剥離する際に１枚ずつ剥離することができ、粘着部１２１が一度に表出する面積を狭くすることができることとなって、粘着部１２１同士が接着し合う状況を防止することができ、装着作業を容易にすることができる。
【００３４】
また、第２の剥離部材の剥離シート３０ｂの外面は、当該剥離シート３０ｂを覆うようにして、不織布４０ｂで形成され、第２の剥離部材は、表面シート１１のＸ方向一方の端部（背側部１５）に固着される固着部５１と、表面シート１１のＸ方向一方の端部（背側部１５）から外方に延出した延出部５２と、が設けられ、第２の剥離部材を、粘着部１２１から剥離させて当該三つ折りの状態を展開させた後、当該第２の剥離部材を表面シート１１側に折り返して折返し部Ｐ１を形成させるので、着用者の糞尿等の排泄物がＸ方向一方の端部側（背側部１５側）に漏れるのを防止することができる。
特に、本実施形態に係るインナーパッド１によれば、延出部５２の不織布４０ｂの内面には、Ｙ方向両端部に第１の固定部４１ｂ、４１ｂが設けられているので、第２の剥離部材を表面シート１１側に折り返した際に、第１の固定部４１ｂ、４１ｂをギャザーシート２０、２０の自由端２０ａに接着固定させることで折返し部Ｐ１を形成することができ、折返し部Ｐ１、固定部材４１ｂ、４１ｂ、及び表面シート１１により、排泄物が背側部１５側に漏れるのを防止するポケットが形成されることとなって、より確実に排泄物の漏れを防止することができる。
【００３５】
さらに、第２の剥離部材は、表面シート１１のＸ方向一方の端部（背側部１５）に固着される固着部５１が設けられているので、外装体からインナーパッド１全体を取り外した際に、粘着部１２１が表出している部分を覆うように剥離部材を巻き付けることができることとなって、粘着部１２１がゴミ袋等に接着する状況を防止することができ、廃棄作業を容易にすることができる。
【００３６】
以上、本発明に係る実施形態に基づいて具体的に説明したが、本発明は上記実施形態に限定されるものではなく、その要旨を逸脱しない範囲で変更可能である。
【００３７】
＜変形例＞
例えば、図９に示す例では、延出部５２の不織布４０ｂの内面（粘着部１２１と接着される側の面）のＹ方向両端部に剥離シート３０ｂを挟む形で第１の固定部４１ｂ、４１ｂが設けられているだけでなく、固着部５１の不織布４０ｂの内面のＹ方向両端部に剥離シート３０ｂを挟む形で第２の固定部４２ｂ、４２ｂが設けられている。
第２の固定部４２ｂ、４２ｂは、例えば、第１の固定部４１ｂ、４１ｂと同様に粘着剤が塗布されることにより形成される。粘着剤としては、例えば、一般的に耐久性において優れた性質をもっているポリアクリル酸エステルを主体としたアクリル系接着剤や、天然ゴム、合成ゴムの弾力性成分と粘着付与剤が主成分で、これに可塑剤、老化防止剤などが配合されているゴム系接着剤などを使用することができ、それ以外にホットメルト接着剤などの既知の接着剤も使用可能である。なお、この第２の固定部４２ｂ、４２ｂには、外部との粘着を防止するため、第２の固定部４２ｂ、４２ｂを覆うようにして、剥離シートを貼着させるようにしてもよい。
【００３８】
次に、変形例に係るインナーパッド１の使用方法について説明する。
なお、使用時にインナーパッド１を三つ折の状態から展開する手順は、実施形態と同様であるので、説明を省略する。
【００３９】
インナーパッド１が展開されると、図５に示すように、腹側部１４側の粘着部１２１が表出した状態となっているので、この表出した腹側部１４側の粘着部１２１を外装体の所定の位置に固着させる。
次に、腹側部１４側の粘着部１２１を覆っていた第２の剥離部材（剥離シート３０ｂ及び不織布４０ｂ）を、図１０に示すように、延出部５２上で不織布４０ｂの内面側（粘着部１２１と接着される側）に向けて折り返し、延出部５２の不織布４０ｂに設けられた第１の固定部４１ｂ、４１ｂを対向する面に接着固定させる。
次に、延出部５２上で折り返した第２の剥離部材を、図１１に示すように、表面シート１１側に折り返し、固着部５１の不織布４０ｂに設けられた第２の固定部４２ｂ、４２ｂと接着固定させる。これにより、折返し部Ｐ２が形成され、折返し部Ｐ２、第１の固定部４１ｂ、４１ｂ、第２の固定部４２ｂ、４２ｂ、及び表面シート１１により、着用者の糞尿等の排泄物が背側部１５側に漏れるのを防止するポケットが形成される。
次に、背側部１５側の粘着部１２１を覆う第１の剥離部材（剥離シート３０ａ）を剥離し、背側部１５側の粘着部１２１を表出させる。そして、表出した背側部１５側の粘着部１２１を外装体の所定の位置に固着させる。このとき、第１の剥離部材は、インナーパッド１から完全に分離して廃棄する。
【００４０】
このインナーパッド１を使用後に廃棄する際、まず、第２の固定部４２ｂ、４２ｂの接着状態を解放し、次に、第１の固定部４１ｂ、４１ｂの接着状態を解放する。そして、外装体と粘着部１２１との固着状態を解放し、外装体からインナーパッド１全体を取り外す。
次に、取り外したインナーパッド１を、粘着部１２１が形成された裏面シート１２側を外側にしてロール状に巻き、粘着部１２１が表出している部分を覆うように第２の剥離部材を巻き付けた後、廃棄する。
【００４１】
以上のように、変形例に係るインナーパッド１によれば、固着部５１の不織布４０ｂの内面には、Ｙ方向両端部に第２の固定部４２ｂ、４２ｂが設けられているので、第２の剥離部材（剥離シート３０ｂ及び不織布４０ｂ）を延出部５２上で不織布４０ｂの内面側に向けて折り返した際に第１の固定部４１ｂ、４１ｂを対向する面と接着固定し、当該延出部５２上で折り返された第２の剥離部材を表面シート１１側に折り返した際に第２の固定部４２ｂ、４２ｂと接着固定させることで折返し部Ｐ２を形成することができ、折返し部Ｐ２、第１の固定部４１ｂ、４１ｂ、第２の固定部４２ｂ、４２ｂ、及び表面シート１１により、排泄物が背側部１５側に漏れるのを防止するポケットが形成されることとなって、より確実に排泄物の漏れを防止することができる。また、折返し部Ｐ２のＸ方向の長さを短くすることができるので、着用者の肌に対する刺激を軽減することができる。
【００４２】
なお、上記変形例では、延出部５２の不織布４０ｂの内面のＹ方向両端部に第１の固定部４１ｂ、４１ｂを設けるとともに、固着部５１の不織布４０ｂの内面のＹ方向両端部に第２の固定部４２ｂ、４２ｂを設けるようにしているが、これに限定されるものではない。例えば、第１の固定部４１ｂ、４１ｂをＸ方向に沿ってＹ方向両端部全体に形成させるようにしてもよい。即ち、第１の固定部４１ｂ、４１ｂと第２の固定部４２ｂ、４２ｂを、Ｙ方向両端部全体に形成させた一つの固定部で代用するようにしてもよい。
また、延出部５２に第１の固定部４１ｂ、４１ｂを設けないようにして、固着部５１に第２の固定部４２ｂ、４２ｂのみを設けるようにしてもよい。
【００４３】
また、上記実施形態では、粘着部１２１の粘着性を保護する部材として剥離シート３０ｂが用いられているが、これに限定されるものではない。例えば、剥離シート３０ｂの代わりに、不織布４０ａ、４０ｂの内面側に離型剤を塗布するようにしてもよい。離型剤としては、例えば、シリコーン系、フッ素系、イソシアネート系等のものが好ましく用いられる。特に、シリコーン樹脂系のものを不織布４０ｂに塗布して加熱乾燥するか、スプレーで吹きつけ薄い被膜を形成させる等して用いるのが好ましい。剥離シート３０ｂの代わりに離型剤を塗布することで、剥離シート３０ｂのような部材を用意する必要がなくなるので、コストやゴミの量を減らすことができる。
【００４４】
また、上記実施形態では、腹側部１４と背側部１５を略同一の構造となるように形成しているが、これに限定されるものではなく、外装体の型に合わせて腹側部１４と背側部１５の構造を異ならせるようにしてもよい。
【００４５】
また、上記実施形態では、折返し部Ｐ１を背側部１５側に形成させるようにしているが、これに限定されるものではなく、折返し部Ｐ１を腹側部１４側に形成させるようにしてもよい。なお、変形例の折返し部Ｐ２も同様に、腹側部１４側に形成させるようにしてもよい。
【００４６】
また、上記実施形態では、延出部５２の不織布４０ｂの内面に第１の固定部４１ｂ、４１ｂを設けるようにしているが、これに限定されるものではない。例えば、固着部５１の不織布４０ｂの内面に第１の固定部４１ｂ、４１ｂを設けるようにしてもよい。
また、必ずしも第１の固定部４１ｂ、４１ｂを設ける必要はなく、この場合は、形成された折返し部Ｐ１を、ギャザーシート２０、２０と表面シート１１の接合部分に挟み込むことで、折返し部Ｐ１、ギャザーシート２０、２０、及び表面シート１１により、着用者の糞尿等の排泄物が背側部１５側に漏れるのを防止するポケットを形成するようにすればよい。
【００４７】
また、上記実施形態では、吸収性物品としてインナーパッド１を例示して説明したが、これに限定されるものではなく、例えば、生理用ナプキン等に適用してもよい。
【符号の説明】
【００４８】
１  インナーパッド（吸収性物品）
１０  本体部
１１  表面シート
１２  裏面シート
１２１  粘着部
１３  吸収体
１４  腹側部
１５  背側部
１６  股下部
１７  脚周り部
１８  切り欠き
２０  ギャザーシート
２０ａ  自由端
２０ｂ  固定端
２１  弾性部材
３０ａ  剥離シート（第１の剥離部材；剥離部）
３０ｂ  剥離シート（第２の剥離部材；剥離部）
４０ｂ  不織布（第２の剥離部材；不織布）
４１ｂ  第１の固定部
４２ｂ  第２の固定部
５１  固着部
５２  延出部
Ｐ１、Ｐ２  折返し部 
【図１】
0005975610.tif 000002
【図２】
0005975610.tif 000003
【図３】
0005975610.tif 000004
【図４】
0005975610.tif 000005
【図５】
0005975610.tif 000006
【図６】
0005975610.tif 000007
【図７】
0005975610.tif 000008
【図８】
0005975610.tif 000009
【図９】
0005975610.tif 000010
【図１０】
0005975610.tif 000011
【図１１】
0005975610.tif 000012